(57)【要約】      （修正有）【課題】駆動ハウスを軽快・安全・自由自在に駆動操作し得る、低コストで構成簡潔な農業用・工業用組立式駆動ハウスの駆動装置を提供する。【解決手段】正面壁、左右側面壁・屋根（天井）、開口背面、開口底面で形成した一対のハウス半体と、地面（床面）１０に敷設した設定長の平行レールＲからなる農業用・工業用組立式駆動ハウスの駆動装置において、側面壁に固定設置したコ形チャンネル材１１に備えた車輪８及びガイドローラ１２と、車輪の上方に備えた原動ローラ１３付サーボモータ６と、車輪を載置するレール用コ形チャンネル材１４を組合せて構成した。【選択図】図５
0003207527.tif 000002
【実用新案登録請求の範囲】
【請求項１】
パネルを組立て正面壁、左右側面壁、屋根若しくは天井、開口背面、開口底面からなるハウス半体を一対設け、地面若しくは床面に、前記ハウス半体の正面壁の幅に見合った平行間隔で設定長のレールを敷設すると共に、一対のハウス半体を、各ハウス半体の開口背面を相対した状態で、各左右側面壁の車輪を前記レール上に載置して、各ハウス半体を設定距離間、手動・自動適宜手段で駆動自在に備え、レール上の各ハウス半体を駆動し各開口背面同志を衝合連結して駆動ハウスを形成し、前記駆動ハウスの各ハウス半体をそれぞれ反対方向に分離駆動して両ハウス半体間にスペースを形成するように備えた農業用・工業用組立式駆動ハウスにおいて、
前記レール上のハウス半体を駆動する駆動装置であり、該駆動装置は、側面壁の下端縁に固定設置したコ形チャンネル材に備えた車輪及びガイドローラと、前記車輪の上方に備えた原動ローラ付サーボモータと、前記車輪を載置するレール用コ形チャンネル材を組合せ構成したものであって、
２個の車輪をハウス半体の側面壁の下端縁に固定設置したコ形チャンネル材の天板下面に設置すると共に、底板上面にガイドローラを設置し、
原動ローラをサーボモータの原動軸に固着し、該サーボモータのケースの後端上部をブラケットに枢軸で設定角度上下揺動自在に枢着すると共に、該ブラケットを側面壁に、原動ローラを２個の車輪の中間上方に近接した状態に固着し、前記ケースの上面に樹立したボルトの先端を、前記ブラケットの天板の孔を通して突出すると共に、ボルト先端と天板の間に復元ばねを張設し、その弾発力で前記サーボモータ前部を枢軸を中心として常時上方回動付勢して備え、前記ボルトに近接してブラケット天板上に設けたコ形架台上に固着したナットにハンドルの螺軸を螺合し、該螺軸先端をブラケットの天板の孔を通してケースの上面の孔に游嵌する一方、螺軸のコ形架台内位置に固定した円板とケース天板の間にブラケット天板の孔を通して押圧ばねを張設し、
ハンドルを回して螺軸を螺進すると円板が下降し、押圧ばねの前記復元ばねより大な弾発力でケース上面を押圧してサーボモータの前部を回動降下して前記原動ローラを２個の車輪に上方から圧接し、もって、該両車輪を回転駆動してレール上のハウス半体を駆動し、ハンドルを逆回転して螺軸を上昇すると、押圧ばね加圧が解かれると同時に復元ばねでケースが上方回動復元し、原動ローラが２個の車輪から離隔し、もって、ハウス半体の駆動を停止するように備え、また、地面若しくは床面に、前記ハウス半体の正面壁の幅に見合った平行間隔で設定長のレールの基礎を敷設すると共に、前記基礎上に、コ形チャンネル材の天板縁を直角下方に折曲げて係合辺を形成したレール用コ形チャンネル材を固着して備え、
前記レール用コ形チャンネル材の係合辺を、前記側面壁側のコ形チャンネル材に備えた車輪下端とガイドローラの間隙を通して係合設置して車輪をレール用コ形チャンネル材上に載置すると共に係合辺をガイドローラに係合し、もって、サーボモータによって車輪を駆動してハウス半体を駆動すると共に、ハウス半体側のガイドローラとレール用コ形チャンネル材側の係合辺の互いに外れない構成によって、ハウス半体をレールから脱輪の恐れなく駆動するように備えたことを特徴とする、
農業用・工業用組立式駆動ハウスの駆動装置。
【考案の詳細な説明】
【技術分野】
【０００１】本考案は、出願人が先に出願した実願２０１６−００２９６０号、考案の名称「農業用・工業用組立式駆動ハウス」において、
即ち、パネルを組立て正面壁、左右側面壁、屋根若しくは天井、開口背面、開口底面からなるハウス半体を一対設け、地面若しくは床面に、前記ハウス半体の正面壁の幅に見合った平行間隔で設定長のレールを敷設すると共に、一対のハウス半体を、各ハウス半体の開口背面を相対した状態で、各左右側面壁の車輪を前記レール上に載置して、各ハウス半体を設定距離間、手動・自動適宜手段で駆動自在に備え、レール上の各ハウス半体を駆動し各開口背面同志を衝合連結して駆動ハウスを形成し、前記駆動ハウスの各ハウス半体をそれぞれ反対方向に分離駆動して両ハウス半体間にスペースを形成するように備えたことを特徴とする、農業用・工業用組立式駆動ハウスにおいて、
前記レール上の駆動ハウスの各ハウス半体を駆動する為に用いる「農業用・工業用組立式駆動ハウスの駆動装置」に係るものである。
【背景技術】
【０００２】前記先願考案は、
（１）高級な果物、野菜、花卉等の栽培は屋内栽培、温室栽培によっているものが多く、設備及び運営に要する多額のコスト負担のため栽培規模に限界があり、また、露地栽培のように外気、太陽光のメリットを充分に享有できない課題、
（２）ビニールハウスは低コストの利点がある反面、強度、耐久性に欠け、特に暴風雨等の強風に対し極めて脆弱で、一たび暴風雨に遭遇すると、ハウス骨組（主として金属若しくは樹脂パイプ）、ビニールフイルム共々壊滅的に潰され、ハウス内の作物が全滅する、致命的な課題、
（３）特にハウス内の空調（特に冬季の暖房）が、広大なハウス内全体に必要であると同時に、ビニールフイルムは外気との断熱性能が殆ど無いため、エネルギー効率が極めて低く、エネルギーコストに利潤の多くを削がれてしまう多大の課題、
等の従来課題を有効に解決したものであるが、【０００２】本考案は、先願考案に係る「農業用・工業用組立式駆動ハウス」の駆動ハウス（各半体ハウス）を、現実に、軽快・安全・自由自在に駆動操作し得る、低コストで構成簡潔な「農業用・工業用組立式駆動ハウスの駆動装置」を考案し、提供するものである。
【先行技術文献】
【特許文献】
【０００３】
【特許文献１】実願２０１６−００２９６０号（平成２８年６月６日出願）
【特許文献２】特開２０１１−１２５２３３号公報
【特許文献３】実登第３１７０９７０号公報
【考案の概要】
【考案が解決しようとする課題】
【０００４】本考案は、先願考案に係る「農業用・工業用組立式駆動ハウス」において、その駆動手段の内の電動式装置の一例であり、駆動ハウス（各半体ハウス）を軽快・安全・自由自在に駆動操作し得る、低コストで構成簡潔な「農業用・工業用組立式駆動ハウスの駆動装置」を考案提供して課題を解決したものである。
【課題を解決するための手段】
【０００６】請求項１の考案は、パネルを組立て正面壁、左右側面壁、屋根若しくは天井、開口背面、開口底面からなるハウス半体を一対設け、地面若しくは床面に、前記ハウス半体の正面壁の幅に見合った平行間隔で設定長のレールを敷設すると共に、一対のハウス半体を、各ハウス半体の開口背面を相対した状態で、各左右側面壁の車輪を前記レール上に載置して、各ハウス半体を設定距離間、手動・自動適宜手段で駆動自在に備え、
レール上の各ハウス半体を駆動し各開口背面同志を衝合連結して駆動ハウスを形成し、前記駆動ハウスの各ハウス半体をそれぞれ反対方向に分離駆動して両ハウス半体間にスペースを形成するように備えた農業用・工業用組立式駆動ハウスにおいて、【００００】前記レール上のハウス半体を駆動する駆動装置であり、該駆動装置は、側面壁の下端縁に固定設置したコ形チャンネル材に備えた車輪及びガイドローラと、前記車輪の上方に備えた原動ローラ付サーボモータと、前記車輪を載置するレール用コ形チャンネル材を組合せ構成したものであって、【００００】２個の車輪をハウス半体の側面壁の下端縁に固定設置したコ形チャンネル材の天板下面に設置すると共に、底板上面にガイドローラを設置し、【００００】原動ローラをサーボモータの原動軸に固着し、該サーボモータのケースの後端上部をブラケットに枢軸で設定角度上下揺動自在に枢着すると共に、該ブラケットを側面壁に、原動ローラを２個の車輪の中間上方に近接した状態に固着し、前記ケースの上面に樹立したボルトの先端を、前記ブラケットの天板の孔を通して突出すると共に、ボルト先端と天板の間に復元ばねを張設し、その弾発力で前記サーボモータ前部を枢軸を中心として常時上方回動付勢して備え、前記ボルトに近接してブラケット天板上に設けたコ形架台上に固着したナットにハンドルの螺軸を螺合し、該螺軸先端をブラケットの天板の孔を通してケースの上面の孔に上下擦動自在に游嵌する一方、螺軸のコ形架台内位置に固定した円板とケース天板の間にブラケット天板の孔を通して押圧ばねを張設し、【００００】ハンドルを回して螺軸を螺進すると円板が下降し、押圧ばねの前記復元ばねより大な弾発力でケース上面を押圧してサーボモータの前部を回動降下して前記原動ローラを２個の車輪に上方から圧接し、もって、該両車輪を回転駆動してレール上のハウス半体を駆動し、【００００】ハンドルを逆回転して螺軸を上昇すると、押圧ばね加圧が解かれると同時に復元ばねでケースが上方回動復元し、原動ローラが２個の車輪から離隔し、もって、ハウス半体の駆動を停止するように備え、【００００】また、地面若しくは床面に、前記ハウス半体の正面壁の幅に見合った平行間隔で設定長のレール基礎を敷設すると共に、前記基礎上に、コ形チャンネル材の天板縁を直角下方に折曲げて係合辺を形成したレール用コ形チャンネル材を固着して備え、【００００】前記レール用コ形チャンネル材の係合辺を、前記側面壁側のコ形チャンネル材に備えた車輪下端とガイドローラの間隙を通して係合設置して車輪をレール用コ形チャンネル材上に載置すると共に係合辺をガイドローラに係合し、もって、サーボモータによって車輪を駆動してハウス半体を駆動すると共に、ハウス半体側のガイドローラとレール用コ形チャンネル材側の係合辺の互いに外れない構成によって、ハウス半体をレールから脱輪の恐れなく駆動するように備えたことを特徴とする、農業用・工業用組立式駆動ハウスの駆動装置によって課題を解決したものである。
【考案の効果】
【００００】１．先願考案に係る「農業用・工業用組立式駆動ハウス」における駆動ハウス（各半体ハウス）を軽快・安全・自由自在に駆動操作し得る、低コストで構成簡潔な「農業用・工業用組立式駆動ハウスの駆動装置」を提供し得る優れた効果がある。
２．図示例のように、本考案駆動装置を、ハウス半体の底面４隅の１ケ所にだけ設置しただけで十分であるが、ハウス半体の形状・大小・質量などに応じて、設置個数、設置位置、サーボモータの出力の大小、車輪の大小・材質等を自由に選択調節して対応できる優れた利点がある。
【図面の簡単な説明】
【００００】
【図１】一対のハウス半体からなる農業用・工業用組立式駆動ハウスの斜視図である。
【図２】図１の各ハウス半体を分離駆動しハウス半体間にスペースを形成した斜視図である。
【図３】図１のハウス半体の底面図である。
【図４】図３のＩ−Ｉ線断面矢視図である。
【図５】本考案駆動装置をハウス半体の左側面壁内面の正面側下端角部付近に備えた図（サーボモータの原動ロールを下降し車輪に圧接した駆動状態の図）である。
【図６】図５のＩＩ−ＩＩ線矢視図である。
【図７】（イ）は、図５のサーボモータ部分の図であり、（ロ）は、（イ）のＩＩＩ−ＩＩＩ線矢視図である。
【図８】（イ）は、図５の２個の車輪部分の図であり、（ロ）は、（イ）のＩＶ−ＩＶ線矢視図である。
【図９】（イ）は、図５のレール基礎及びレール用コ形チャンネル材の図であり、（ロ）は、（イ）のＶ−Ｖ線矢視図である。
【考案を実施するための形態】
【００００】農業用・工業用組立式駆動ハウスにおいて、レール上の駆動ハウスの各ハウス半体を駆動する駆動装置であり、該駆動装置は、側面壁の下端縁に固定設置したコ形チャンネル材に備えた車輪及びガイドローラと、前記車輪の上方に備えた原動ローラ付サーボモータと、前記車輪を載置するレール用コ形チャンネル材の組合せ構成によって備える。
【実施例】
【００２１】以下、添付図面に従って一実施例を説明する。
パネルＰを組立てて、正面壁１、側面壁（左右）２・屋根（天井）３、開口背面４、開口底面５からなるハウス半体を一対ａ、ａ設け、地面（床面）１０に、前記ハウス半体ａの正面壁１の幅に見合った平行間隔で設定長のレールＲを敷設すると共に、一対のハウス半体ａ、ａを、各ハウス半体ａ、ａの開口背面４を相対した状態で、各側面壁２の車輪８を前記レールＲ上に載置して、各ハウス半体を設定距離間、手動・自動適宜手段で駆動自在に備え、レールＲ上の各ハウス半体ａ、ａをレールＲの長手中心方向に駆動し各開口背面同志４，４を衝合連結して駆動ハウスＡを形成し、また、前記駆動ハウスＡの各ハウス半体ａ、ａをそれぞれ反対方向に分離駆動して両ハウス半体ａ、ａ間にスペースＳを形成するように備えた、農業用・工業用組立式駆動ハウスＡにおいて、【００００】前記レールＲ上のハウス半体ａを駆動する駆動装置Ｂであり、該駆動装置Ｂは、側面壁２（左）の下端縁に固定設置したコ形チャンネル材１１に備えた車輪８及びガイドローラ１２と、前記車輪８の上方に備えた原動ローラ１３付サーボモータ６と、前記車輪８を載置するレール用コ形チャンネル材１４を組合せ構成したものであって、【００００】２個の車輪８をハウス半体ａの側面壁２（左）の下端縁に固定設置したコ形チャンネル材１１の天板１５下面に設置すると共に、底板１６上面にガイドローラ１２を設置し、【００００】原動ローラ１３をサーボモータ６の原動軸７に固着し、該サーボモータ６のケース１７の後端上部をブラケット１８に枢軸１９で設定角度上下揺動自在に枢着すると共に、該ブラケット１８を側面壁２（左）に、原動ローラ１３を２個の車輪８、８の中間上方に近接した状態に固着し、
前記ケース１７の上面に樹立したボルト２０の先端を、前記ブラケット１８の天板２１の孔を通して突出すると共に、ボルト２０先端と天板２１の間に復元ばね２２を張設し、その弾発力で前記サーボモータ６前部を枢軸１９を中心として常時上方回動付勢して備え、前記ボルト２０に近接してブラケット天板２１上に設けたコ形架台２３上に固着したナット２４にハンドル２５の螺軸２６を螺合し、該螺軸２６先端をブラケット１８の天板２１の孔を通してケース１７の上面の凹部２７に上下擦動自在に游嵌する一方、螺軸２６のコ形架台２３内位置に固定した円板２８とケース天板１６の間にブラケット天板２１の孔を通して押圧ばね２９を張設し、【００００】ハンドル２５を回して螺軸２６を螺進すると円板２８が下降し、押圧ばねの前記復元ばね２２より大な弾発力でケース１７上面を押圧してサーボモータ６の前部を回動降下して前記原動ローラ１３を車輪８、８に上方から圧接し、もって、該車輪８、８を回転駆動してレール用コ形チャンネル材１４上のハウス半体ａを駆動し、【００００】ハンドル２５を逆回転して螺軸２６を上昇すると、押圧ばね２９の加圧が解かれると同時に復元ばね２２でケース１７が上方回動復元し、原動ローラ１３が車輪８、８から離隔し、もって、ハウス半体ａの駆動を停止するように備え、【００００】また、地面１０若しくは床面に、前記ハウス半体ａの正面壁１の幅に見合った平行間隔で設定長のレールＲの基礎９を敷設すると共に、該基礎９上に、コ形チャンネル材の天板縁を直角下方に折曲げて係合辺３０を形成したレール用コ形チャンネル材１４を固着して備え、【００００】前記レール用コ形チャンネル材１４の係合辺３０を、前記側面壁２（左）側のコ形チャンネル材１１に備えた車輪８、８下端とガイドローラ１２の間隙を通して係合設置して車輪８、８をレール用コ形チャンネル材１４上に載置すると共に係合辺３０をガイドローラ１２に係合し、もって、サーボモータ６によって車輪８、８を駆動してハウス半体ａを駆動すると共に、ハウス半体ａ側のガイドローラ１２とレール用コ形チャンネル材１４側の係合辺３０の互いに外れない構成によって、ハウス半体ａをレール用コ形チャンネル材１４から脱輪の恐れなく駆動するように備えたことを特徴とする、農業用・工業用組立式駆動ハウスＡの駆動装置Ｂによって課題を解決したものである。
【符号の説明】
【００２５】Ａ  農業用・工業用組立式駆動ハウス
Ｂ  本考案駆動装置
ａ  ハウス半体
Ｐ  パネル
Ｒ  レール
Ｓ  スペース（農業用・工業用に利用可能とした設定面積の空間）
１  正面壁
２  側面壁（左右）
３  屋根（天井）
４  開口背面
５  開口底面
６  サーボモータ
７  原動軸
８  車輪
９  レールの基礎
１０  地面（床面）
１１  コ形チャンネル材
１２  ガイドローラ
１３  原動ローラ
１４  レール用コ形チャンネル材
１５  天板
１６  底板
１７  ケース
１８  ブラケット
１９  枢軸
２０  ボルト
２１  天板
２２  復元ばね
２３  コ形架台
２４  ナット
２５  ハンドル
２６  螺軸
２７  凹部
２８  円板
２９  押圧ばね
３０  係合辺
【図１】
0003207527.tif 000003
【図２】
0003207527.tif 000004
【図３】
0003207527.tif 000005
【図４】
0003207527.tif 000006
【図５】
0003207527.tif 000007
【図６】
0003207527.tif 000008
【図７】
0003207527.tif 000009
【図８】
0003207527.tif 000010
【図９】
0003207527.tif 000011